【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
多段送信電力制御方式を使用してアクセスポイントの送信電力を制御するための方法であって、
初期化状態の間に、ネットワークリッスンベース電力較正のために、前記アクセスポイントにおいて信号を受信することであって、前記信号が少なくとも１つの他のアクセスポイントから受信される、受信することと、
前記受信した信号に基づいて前記アクセスポイントにおけるチャネル品質を識別することと、
前記識別されたチャネル品質と定義されたカバレージ範囲とに基づいて前記アクセスポイントの送信電力を初期値に設定することと、
初期化後状態の間に、モバイル支援範囲調整のために、前記アクセスポイントにおいて登録メッセージを受信することであって、前記登録メッセージが少なくとも１つのアクセス端末から受信される、受信することと、
前記アクセスポイントによって、前記受信した登録メッセージに基づいて前記送信電力を新しい値に設定することと、
前記アクセスポイントによって、前記アクセスポイントにおいて１つまたは複数の逆方向リンク周波数上でセル外干渉を測定することによって、前記少なくとも１つの他のアクセスポイントとアクティブに通信している近くのアクセス端末を監視することと、
前記アクセスポイントをアクティブモバイル保護状態に切り替えることと、
前記切り替えに基づいて、前記アクセスポイントの前記送信電力を制限することと、
を備える、方法。
【請求項２】
前記少なくとも１つの他のアクセスポイントが、前記アクセスポイントのサービスチャネルキャリア周波数とは異なるマクロキャリア周波数上で送信し、
前記送信電力の設定が、前記マクロキャリア周波数上での前記アクセスポイントによるビーコン送信のために使用される、
請求項１に記載の方法。
【請求項３】
前記少なくとも１つの他のアクセスポイントが、前記アクセスポイントのサービスチャネルキャリア周波数上で送信し、
前記送信電力の設定が、前記サービスチャネルキャリア周波数上での前記アクセスポイントによる送信のために使用される、
請求項１に記載の方法。
【請求項４】
前記少なくとも１つの他のアクセスポイントからの信号を繰り返し監視することと、
前記監視することに基づいて前記アクセスポイントにおけるチャネル品質の変化があったかどうかを判断することと、
前記アクセスポイントにおける前記チャネル品質の変化があった場合、前記送信電力を再較正することと
をさらに備える、請求項１に記載の方法。
【請求項５】
前記アクセスポイントにおいて測定報告を受信することであって、前記測定報告が、前記アクセスポイントを介してアクティブモードサービスを受信することを許可された少なくとも１つの他のアクセス端末から受信され、前記測定報告が、前記少なくとも１つの他のアクセスポイントのうちの１つまたは複数による送信に関連するチャネル品質情報を含む、受信することと、
前記受信した測定報告に基づいて送信電力限界を定義することとであって、前記新しい値が前記定義された送信電力限界内にある、定義することと
をさらに備える、請求項１に記載の方法。
【請求項６】
前記測定報告が、前記アクセスポイントによる送信に関連するチャネル品質情報をさらに含み、
前記方法が、前記アクセスポイントによる前記送信に関連する前記受信したチャネル品質情報に基づいて前記アクセスポイントと前記少なくとも１つの他のアクセス端末との間の複数の経路損失を判断することをさらに備え、
前記送信電力限界の前記定義が、前記判断された経路損失と、前記１つまたは複数の他のアクセスポイントによる前記送信に関連する前記チャネル品質情報とにさらに基づく、
請求項５に記載の方法。
【請求項７】
前記測定報告がある時間期間にわたって受信され、
前記受信した測定報告に基づく前記送信電力限界の前記定義が、前記時間期間の満了時に前記送信電力限界を設定することを備える、
請求項５に記載の方法。
【請求項８】
前記登録メッセージがある時間期間にわたって受信され、
前記受信した登録メッセージに基づく前記送信電力の新しい値への前記設定が、前記時間期間の満了時に前記送信電力を調整することを備える、
請求項１に記載の方法。
【請求項９】
前記受信した登録メッセージに基づく前記送信電力の新しい値への前記設定が、
定義されたアクセス端末タイプのセットに従って前記少なくとも１つのアクセス端末を分類することと、
前記少なくとも１つのアクセス端末の前記分類に基づいて前記送信電力を調整することと
を備える、請求項１に記載の方法。
【請求項１０】
前記少なくとも１つのアクセス端末の前記分類は、前記少なくとも１つのアクセス端末が近隣エイリアンアクセス端末であるのか非近隣エイリアンアクセス端末であるのかを判断することを備える、請求項９に記載の方法。
【請求項１１】
前記少なくとも１つのアクセス端末の前記分類は、前記少なくとも１つのアクセス端末が前記アクセスポイントにキャンプオンした少なくとも１つの時間期間に基づく、請求項９に記載の方法。
【請求項１２】
前記少なくとも１つのアクセス端末の前記分類は、前記少なくとも１つのアクセス端末がある時間期間にわたって前記アクセスポイントにおいて行った登録試みの量に基づく、請求項９に記載の方法。
【請求項１３】
前記送信電力の前記初期値および前記新しい値への前記設定が、それぞれ、低電力ビーコンの送信と高電力ビーコンの送信とに対して異なる送信電力値を指定することを備える、請求項１に記載の方法。
【請求項１４】
多段送信電力制御方式を使用してアクセスポイントの送信電力を制御するための装置であって、
初期化状態の間に、ネットワークリッスンベース電力較正のために、少なくとも１つの他のアクセスポイントから信号を受信するように動作可能なアクセスポイントに関連する受信機と、
前記受信した信号に基づいて前記装置におけるチャネル品質を識別するように動作可能なコントローラと
を備え、
前記コントローラが、前記識別されたチャネル品質と定義されたカバレージ範囲とに基づいて送信電力を初期値に設定するようにさらに動作可能であり、
前記受信機が、初期化後状態の間に、モバイル支援範囲調整のために、少なくとも１つのアクセス端末から登録メッセージを受信するようにさらに動作可能であり、
前記コントローラが、前記受信した登録メッセージに基づいて前記送信電力を新しい値に設定するようにさらに動作可能であり、
前記コントローラが、前記アクセスポイントにおいて１つまたは複数の逆方向リンク周波数上でセル外干渉を測定することによって、前記少なくとも１つの他のアクセスポイントとアクティブに通信している近くのアクセス端末を監視するようにさらに動作可能であり、
前記コントローラが、前記アクセスポイントをアクティブモバイル保護状態に切り替えるようにさらに動作可能であり、
前記コントローラが、前記切り替えに基づいて、前記アクセスポイントの前記送信電力を制限するようにさらに動作可能である、
装置。
【請求項１５】
前記コントローラは、
前記装置の近くの別のアクセス端末が前記少なくとも１つの他のアクセスポイントのうちの１つから情報をアクティブに受信していると判断することと、
前記判断の結果として前記送信電力を一時的に制限することと
を行うようにさらに動作可能である、請求項１４に記載の装置。
【請求項１６】
前記受信機が、前記少なくとも１つの他のアクセスポイントからの信号を繰り返し監視するようにさらに動作可能であり、
前記コントローラは、前記監視することに基づいて前記装置におけるチャネル品質の変化があったかどうかを判断するようにさらに動作可能であり、
前記コントローラは、前記装置における前記チャネル品質の変化があった場合、前記送信電力を再較正するようにさらに動作可能である、
請求項１４に記載の装置。
【請求項１７】
前記受信機が、前記装置を介してアクティブモードサービスを受信することを許可された少なくとも１つの他のアクセス端末から測定報告を受信するようにさらに動作可能であり、
前記測定報告が、前記少なくとも１つの他のアクセスポイントのうちの１つまたは複数による送信に関連する受信信号強度情報を含み、
前記コントローラが、前記受信した測定報告に基づいて送信電力限界を定義するようにさらに動作可能であり、
前記新しい値が前記定義された送信電力限界内にある、
請求項１４に記載の装置。
【請求項１８】
前記測定報告がある時間期間にわたって受信され、
前記受信した測定報告に基づく前記送信電力限界の前記定義が、前記時間期間の満了時に前記送信電力限界を設定することを備える、
請求項１７に記載の装置。
【請求項１９】
前記登録メッセージがある時間期間にわたって受信され、
前記受信した登録メッセージに基づく前記送信電力の新しい値への前記設定が、前記時間期間の満了時に前記送信電力を調整することを備える、
請求項１４に記載の装置。
【請求項２０】
前記受信した登録メッセージに基づく前記送信電力の新しい値への前記設定が、
定義されたアクセス端末タイプのセットに従って前記少なくとも１つのアクセス端末を分類することと、
前記少なくとも１つのアクセス端末の前記分類に基づいて前記送信電力を調整することと
を備える、請求項１４に記載の装置。
【請求項２１】
多段送信電力制御方式を使用してアクセスポイントの送信電力を制御するための装置であって、
アクセスポイントに関連する、受信するための手段であって、
前記受信するための手段が、初期化状態の間に、ネットワークリッスンベース電力較正のために、少なくとも１つの他のアクセスポイントから信号を受信するように動作可能であり、
前記受信するための手段が、初期化後状態の間に、モバイル支援範囲調整のために、少なくとも１つのアクセス端末から登録メッセージを受信するようにさらに動作可能である、
受信するための手段と、
前記受信した信号に基づいて前記装置におけるチャネル品質を識別するための手段と、
前記識別されたチャネル品質と定義されたカバレージ範囲とに基づいて送信電力を初期値に設定するための手段と、
前記受信した登録メッセージに基づいて前記送信電力を新しい値に設定するための手段と、
前記アクセスポイントによって、前記アクセスポイントにおいて１つまたは複数の逆方向リンク周波数上でセル外干渉を測定することによって、前記少なくとも１つの他のアクセスポイントとアクティブに通信している近くのアクセス端末を監視するための手段と、
前記アクセスポイントをアクティブモバイル保護状態に切り替えるための手段と、
前記切り替えに基づいて、前記アクセスポイントの前記送信電力を制限するための手段と、
を備える、装置。
【請求項２２】
前記装置の近くの別のアクセス端末が前記少なくとも１つの他のアクセスポイントのうちの１つから情報をアクティブに受信していると判断するための手段と、
前記判断の結果として前記送信電力を一時的に制限するための手段と
をさらに備える、請求項２１に記載の装置。
【請求項２３】
前記少なくとも１つの他のアクセスポイントからの信号を繰り返し監視するための手段と、
前記監視することに基づいて前記装置におけるチャネル品質の変化があったかどうかを判断するための手段と、
前記装置における前記チャネル品質の変化があった場合、前記送信電力を再較正するための手段と
をさらに備える、請求項２１に記載の装置。
【請求項２４】
前記受信するための手段が、前記装置を介してアクティブモードサービスを受信することを許可された少なくとも１つの他のアクセス端末から測定報告を受信するようにさらに動作可能であり、
前記測定報告が、前記少なくとも１つの他のアクセスポイントのうちの１つまたは複数による送信に関連する受信信号強度情報を含み、
前記受信した測定報告に基づいて送信電力限界を定義するための手段であって、前記新しい値が前記定義された送信電力限界内にある、定義するための手段をさらに備える、
請求項２１に記載の装置。
【請求項２５】
前記測定報告がある時間期間にわたって受信され、
前記受信した測定報告に基づく前記送信電力限界の前記定義が、前記時間期間の満了時に前記送信電力限界を設定することを備える、
請求項２４に記載の装置。
【請求項２６】
前記登録メッセージがある時間期間にわたって受信され、
前記受信した登録メッセージに基づく前記送信電力の新しい値への前記設定が、前記時間期間の満了時に前記送信電力を調整することを備える、
請求項２１に記載の装置。
【請求項２７】
前記受信した登録メッセージに基づく前記送信電力の新しい値への前記設定が、
定義されたアクセス端末タイプのセットに従って前記少なくとも１つのアクセス端末を分類することと、
前記少なくとも１つのアクセス端末の前記分類に基づいて前記送信電力を調整することと
を備える、請求項２１に記載の装置。
【請求項２８】
多段送信電力制御方式を使用してアクセスポイントの送信電力を制御するためのコードを記憶したコンピュータ可読記憶媒体であって、前記コードは、アクセスポイントと関連するコンピュータに、
初期化状態の間に、ネットワークリッスンベース電力較正のために、前記アクセスポイントにおいて信号を受信することであって、前記信号が少なくとも１つの他のアクセスポイントから受信される、受信することと、
前記受信した信号に基づいて前記アクセスポイントにおけるチャネル品質を識別することと、
前記識別されたチャネル品質と定義されたカバレージ範囲とに基づいて前記アクセスポイントの送信電力を初期値に設定することと、
初期化後状態の間に、モバイル支援範囲調整のために、前記アクセスポイントにおいて登録メッセージを受信することであって、前記登録メッセージが少なくとも１つのアクセス端末から受信される、受信することと、
前記受信した登録メッセージに基づいて前記送信電力を新しい値に設定することと、
前記アクセスポイントによって、前記アクセスポイントにおいて１つまたは複数の逆方向リンク周波数上でセル外干渉を測定することによって、前記少なくとも１つの他のアクセスポイントとアクティブに通信している近くのアクセス端末を監視することと、
前記アクセスポイントをアクティブモバイル保護状態に切り替えることと、
前記切り替えに基づいて、前記アクセスポイントの前記送信電力を制限することと、
を行わせる、コンピュータ可読記憶媒体。
【請求項２９】
前記アクセスポイントの近くの別のアクセス端末が前記少なくとも１つの他のアクセスポイントのうちの１つから情報をアクティブに受信していると判断することと、
前記判断の結果として前記アクセスポイントの前記送信電力を一時的に制限することと
を前記コンピュータに行わせるためのコードをさらに備える、請求項２８に記載のコンピュータ可読記憶媒体。
【請求項３０】
前記少なくとも１つの他のアクセスポイントからの信号を繰り返し監視することと、
前記監視することに基づいて前記アクセスポイントにおけるチャネル品質の変化があったかどうかを判断することと、
前記アクセスポイントにおける前記チャネル品質の変化があった場合、前記送信電力を再較正することと
を前記コンピュータに行わせるためのコードをさらに備える、請求項２８に記載のコンピュータ可読記憶媒体。
【請求項３１】
前記アクセスポイントにおいて測定報告を受信することであって、前記測定報告が、前記アクセスポイントを介してアクティブモードサービスを受信することを許可された少なくとも１つの他のアクセス端末から受信され、前記測定報告が、前記少なくとも１つの他のアクセスポイントのうちの１つまたは複数による送信に関連する受信信号強度情報を含む、受信することと、
前記受信した測定報告に基づいて送信電力限界を定義することであって、前記新しい値が前記定義された送信電力限界内にある、定義することと
を前記コンピュータに行わせるためのコードをさらに備える、請求項２８に記載のコンピュータ可読記憶媒体。
【請求項３２】
前記測定報告がある時間期間にわたって受信され、
前記受信した測定報告に基づく前記送信電力限界の前記定義が、前記時間期間の満了時に前記送信電力限界を設定することを備える、請求項３１に記載のコンピュータ可読記憶媒体。
【請求項３３】
前記登録メッセージがある時間期間にわたって受信され、
前記受信した登録メッセージに基づく前記送信電力の新しい値への前記設定が、前記時間期間の満了時に前記送信電力を調整することを備える、
請求項２８に記載のコンピュータ可読記憶媒体。
【請求項３４】
前記受信した登録メッセージに基づく前記送信電力の新しい値への前記設定が、
定義されたアクセス端末タイプのセットに従って前記少なくとも１つのアクセス端末を分類することと、
前記少なくとも１つのアクセス端末の前記分類に基づいて前記送信電力を調整することと
を備える、請求項２８に記載のコンピュータ可読記憶媒体。